(57)【要約】【課題】  出力音量の調整機能を有する外部機器が接続された場合に、簡単な外部機器の操作で、外部機器からの出力音量レベルを適正レベルに調整する。【解決手段】  外部機器から出力されたＬ，Ｒチャンネルの信号を、互いに異なる減衰率で減衰させた信号の歪率ＤＳＴL，ＤＳＴRが計測される。この計測と並行して、誘導支援部２９１は、一方の歪率が所定の閾値以上である場合は、双方の歪率が閾値未満となるまで減衰率差を維持しつつ、双方の減衰率を増加させる設定を行いつつ、双方の歪率が閾値以上となるまで、利用者に対して外部機器の出力音量レベルを大きくするように促す。その後、当該計測と並行して、誘導支援部２９１は、双方の歪率が閾値未満となるまで利用者に対して外部機器の出力音量レベルを小さくするように促す。そして、双方の歪率が閾値未満となった時点の出力音量レベルが、適正音量レベルに決定される。【選択図】  図８
2009213016.tif 000002
【特許請求の範囲】
【請求項１】
スピーカに供給する音響信号を生成する音響信号処理装置であって、
音量レベル調整手段を備えた外部機器から出力され、複数チャンネル構成を有する音響信号における一のチャンネル信号及び他のチャンネル信号に対する第１減衰率及び第２減衰率を、互いに独立に設定可能な可変減衰手段と；
前記第１減衰率が前記第２減衰率よりも小さく設定された状態で、前記可変減衰手段により、前記一のチャンネル信号の信号レベルと前記他のチャンネル信号の信号レベルとが同一である計測用音響信号を減衰させた減衰信号のそれぞれの歪率を計測する計測手段と；
前記計測手段による計測結果に基づいて、前記外部機器の音量レベル調整手段による前記音響信号の音量レベル調整を支援する支援手段と；
前記計測手段による計測結果に基づいて、前記支援手段による支援により調整された前記音響信号の音量レベルに対応して、前記可変減衰手段に設定する減衰率を決定し、前記決定された減衰率を前記可変減衰手段に設定する設定手段と；
を備えることを特徴とする音響信号処理装置。
【請求項２】
前記支援手段は、
前記第１減衰率で減衰させた減衰信号の歪率のみが所定の閾値以上である場合には、前記第１減衰率と前記第２減衰率との差を維持しながら、前記第１減衰率及び前記第２減衰率で減衰させた減衰信号の双方の歪率が前記所定の閾値未満となるまで、前記第１減衰率及び前記第２減衰率を増加させる設定を行いつつ、前記第１減衰率及び前記第２減衰率で減衰させた減衰信号の双方の歪率が前記所定の閾値以上となるまで、前記外部機器の音量レベル調整手段で前記計測音響信号の音量レベルを大きくするように促す第１誘導手段と；
前記第１誘導手段を用いた誘導により、前記第１減衰率及び前記第２減衰率で減衰させた減衰信号の歪率の双方が前記閾値以上となった後に、前記計測手段による計測結果に基づいて、前記第１減衰率及び第２減衰率で減衰させた減衰信号の歪率の双方が前記所定の閾値未満となるまで、前記外部機器の音量レベル調整手段で前記計測音響信号の音量レベルを小さくするように促す第２誘導手段と；
を備えることを特徴とする請求項１に記載の音響信号処理装置。
【請求項３】
前記支援手段は、前記第２誘導手段による誘導中に、前記第２減衰率で減衰させた減衰信号の歪率が前記所定の閾値未満となった時点で、前記第１減衰率で減衰させた減衰信号の歪率が前記所定の閾値未満であるか否かを判定し、前記判定の結果が否定的であった場合に、前記第１誘導手段を起動する誘導切換手段を更に備える、ことを特徴とする請求項２に記載の音響信号処理装置。
【請求項４】
前記設定手段は、前記第２誘導手段による誘導により、前記第１減衰率及び前記第２減衰率で減衰させた減衰信号の歪率の双方が前記閾値未満となった時点における前記第１減衰率を、前記可変減衰手段における全てのチャンネル信号の減衰率として設定する、ことを特徴とする請求項２又は３に記載の音響信号処理装置。
【請求項５】
前記計測用音響信号におけるチャンネル信号のそれぞれは、所定周波数の信号であり、
前記計測手段は、前記計測用音響信号の周波数特性を解析することにより、前記減衰信号の歪率を計測する、
ことを特徴とする請求項１〜４のいずれか一項に記載の音響信号処理装置。
【請求項６】
複数の外部機器が接続され、
前記複数の外部機器からの音響信号から、前記スピーカに供給される音響信号を選択する選択手段を更に備える、ことを特徴とする請求項１〜５のいずれか一項に記載の音響信号処理装置。
【請求項７】
スピーカに供給する音響信号を生成する音響信号処理方法であって、
音量レベル調整手段を備えた外部機器から、一のチャンネル信号の信号レベルと他のチャンネル信号の信号レベルとが同一である計測用音響信号を受け、前記一のチャンネル信号を第１減衰率で減衰させた第１減衰信号、及び、前記他のチャンネル信号を前記第１減衰率よりも大きな第２減衰率で減衰させた第２減衰信号の双方の歪率を計測する計測工程と；
前記計測工程と並行して、前記計測工程における計測結果に基づいて、前記外部機器の音量レベル調整手段による前記音響信号の音量レベル調整を支援する支援工程と；
前記計測工程と並行して、前記計測工程における計測結果に基づいて、前記支援手段による支援により調整された前記音響信号の音量レベルに対応して、前記可変減衰手段に設定する減衰率を決定し、前記決定された減衰率を前記可変減衰手段に設定する設定工程と；
を備えることを特徴とする音響信号処理方法。
【請求項８】
請求項７に記載の音響信号処理方法を演算手段に実行させる、ことを特徴とする音響信号処理プログラム。
【請求項９】
請求項８に記載の音響信号処理プログラムが、演算手段により読み取り可能に記録されている、ことを特徴とする記録媒体。
【発明の詳細な説明】
【技術分野】
【０００１】
本発明は、音響信号処理装置、音響信号処理方法、音響信号処理プログラム及び当該音響信号処理プログラムが記録された記録媒体に関する。
【背景技術】
【０００２】
従来から、ホームオーディオ装置やカーオーディオ装置の音響装置に、ＤＶＤ等に記録された音声コンテンツを再生するプレイヤ等の音源装置（以下、「外部機器」ともいう）を接続して、楽曲等を楽しむことは、しばしば行われている。こうした外部機器には、その外部機器からの出力音量の調整を利用者が行うことができるものがある。
【０００３】
かかる出力音量の調整機能を有する外部機器を音響装置に接続する場合には、当該外部機器からの出力音量を適正化することが望ましい。これは、出力音量が小さすぎると、音響装置に入力する音響信号が、ラインノイズ等に埋もれてしまうことがあり、また、出力音量が大きすぎると、音響装置又は外部機器で音響信号に歪みが生じてしまうことがあるためである。このため、良質な音声再生のためには、利用者は、音響装置又は外部機器で音響信号に歪みが生じない範囲で、出力音量レベルを極力大きくする操作を行うことが必要であった。かかる操作は、利用者にとって非常に面倒な作業である。
【０００４】
そこで、利用者に面倒な音量調整を行わせることなく、音響装置に外部機器が接続された場合の音量レベル設定を行う技術が提案されている（特許文献１参照：以下、「従来例」と呼ぶ）。この従来例の技術は、外部機器において接続された機器を判別し、判別された機器が音響装置であった場合には、外部機器が当該音響機器に最適な音量レベルの音響信号を出力させることで、音響装置から出力される音声の歪みを防止するものである。
【０００５】
【特許文献１】特開２００４−３０３３４９号公報
【発明の開示】
【発明が解決しようとする課題】
【０００６】
上述した従来例の技術では、外部機器が、接続された機器を判別する機能、及び、判別された機器ごとに独立して出力音量レベルを調整する機能が必要となる。しかしながら、外部機器となり得る既存の機器は、出力音量が調整できる場合であっても、利用者のダイアル操作等により出力音量を調整できるものが一般的である。
【０００７】
このため、利用者の操作による出力音量の調整機能を有する外部機器が音響装置に接続された場合に、ラインノイズの影響及び再生音声における歪みの発生を極力抑止するため、外部機器からの出力音量レベルを、利用者による簡単な操作で、音響装置及び外部装置の双方にとって適正な音量レベルに調整することのできる新たな技術が要望されている。かかる要望に応えることが、本発明が解決すべき課題の一つとして挙げられる。
【０００８】
本発明は、上記の事情を鑑みてなされたものであり、出力音量の調整機能を有する外部機器が接続された場合に、利用者にとって簡単な外部機器の操作で、外部機器からの出力音量レベルを適正な音量レベルに調整することのできる音響信号処理装置及び音響信号処理方法を提供することを目的とする。
【課題を解決するための手段】
【０００９】
請求項１に記載の発明は、スピーカに供給する音響信号を生成する音響信号処理装置であって、音量レベル調整手段を備えた外部機器から出力され、複数チャンネル構成を有する音響信号における一のチャンネル信号及び他のチャンネル信号に対する第１減衰率及び第２減衰率を、互いに独立に設定可能な可変減衰手段と；前記第１減衰率が前記第２減衰率よりも小さく設定された状態で、前記可変減衰手段により、前記一のチャンネル信号の信号レベルと前記他のチャンネル信号の信号レベルとが同一である計測用音響信号を減衰させた減衰信号のそれぞれの歪率を計測する計測手段と；前記計測手段による計測結果に基づいて、前記外部機器の音量レベル調整手段による前記音響信号の音量レベル調整を支援する支援手段と；前記計測手段による計測結果に基づいて、前記支援手段による支援により調整された前記音響信号の音量レベルに対応して、前記可変減衰手段に設定する減衰率を決定し、前記決定された減衰率を前記可変減衰手段に設定する設定手段と；を備えることを特徴とする音響信号処理装置である。
【００１０】
請求項７に記載の発明は、スピーカに供給する音響信号を生成する音響信号処理方法であって、音量レベル調整手段を備えた外部機器から、一のチャンネル信号の信号レベルと他のチャンネル信号の信号レベルとが同一である計測用音響信号を受け、前記一のチャンネル信号を第１減衰率で減衰させた第１減衰信号、及び、前記他のチャンネル信号を前記第１減衰率よりも大きな第２減衰率で減衰させた第２減衰信号の双方の歪率を計測する計測工程と；前記計測工程と並行して、前記計測工程における計測結果に基づいて、前記外部機器の音量レベル調整手段による前記音響信号の音量レベル調整を支援する支援工程と；前記計測工程と並行して、前記計測工程における計測結果に基づいて、前記支援手段による支援により調整された前記音響信号の音量レベルに対応して、前記可変減衰手段に設定する減衰率を決定し、前記決定された減衰率を前記可変減衰手段に設定する設定工程と；を備えることを特徴とする音響信号処理方法である。
【００１１】
請求項８に記載の発明は、請求項７に記載の音響信号処理方法を演算手段に実行させる、ことを特徴とする音響信号処理プログラムである。
【００１２】
請求項９に記載の発明は、請求項８に記載の音響信号処理プログラムが、演算手段により読み取り可能に記録されている、ことを特徴とする記録媒体である。
【発明を実施するための最良の形態】
【００１３】
以下、本発明の一実施形態を、図１〜図１１を参照して説明する。なお、以下の説明及び図面においては、同一又は同等の要素には同一の符号を付し、重複する説明は省略する。
【００１４】
［構成］
図１には、一実施形態に係る音響信号処理装置１００の概略的な構成がブロック図にて示されている。なお、以下の説明においては、この音響信号処理装置１００は、２チャンネルステレオ方式の音響信号に対する処理を行うものとする。ここで、２チャンネルステレオ方式の音響信号とは、レフトチャンネル（以下、「Ｌチャンネル」とも記す）及びライトチャンネル（以下、「Ｒチャンネル」とも記す）の２チャンネル構成の音響信号をいうものとする。
【００１５】
この図１に示されるように、音響信号処理装置１００には、Ｌ，Ｒチャンネルに対応するスピーカユニット９１０L，９１０Rが接続されている。これらのスピーカユニット９１０j（ｊ＝Ｌ，Ｒ）のそれぞれは、制御ユニット１１０から送られてきた出力音声信号ＡＯＳjに従って、音声を再生して出力する。
【００１６】
また、この音響信号処理装置１００には、音源装置９２０0，９２０1が接続される。ここで、音源装置９２０0，９２０1のそれぞれは、音声コンテンツに基づいてアナログ形式の音響信号を生成し、音響信号処理装置１００へ送るようになっている。
【００１７】
上記の音源装置９２０0は、利用者による出力音量レベルの調整が可能な音量レベル調整手段９２１を備えて構成されている。この音源装置９２０0は、ＣＤ（Compact Disk）、ＤＶＤ（Digital Versatile Disk）等の記録媒体ＲＭに記録された音声コンテンツデータを読み取り、当該音声コンテンツデータから２チャンネル構成の音響信号ＵＡＳL，ＵＡＳRを生成する。こうして生成された音響信号ＵＡＳL，ＵＡＳRは、音響信号処理装置１００へ向けて出力される。
【００１８】
なお、後述する「適正音量レベル調整モード」時においては、音源装置９２０0は、利用者からの指令に対応して、計測用記録媒体に記録された計測用コンテンツを再生し、信号レベルが同一である単一所定周波数ＦＲのサイン波信号（以下、「計測用音響信号」とも記す）を、音響信号ＵＡＳL，ＵＡＳRとして音響信号処理装置１００へ向けて出力する。
【００１９】
上記の音源装置９２０1は、上述した音源装置９２０0と異なり、音量レベル調整手段を備えていない。この音源装置９２０1は、音声コンテンツに対応するから２チャンネル構成の音響信号ＮＡＳL，ＮＡＳRを生成する。こうして生成された音響信号ＮＡＳL，ＮＡＳRは、音響信号処理装置１００へ向けて出力される。
【００２０】
次に、一実施形態に係る上記の音響信号処理装置１００の詳細について説明する。図１に示されるように、音響信号処理装置１００は、制御ユニット１１０と、表示ユニット１４０と、操作入力ユニット１５０とを備えている。
【００２１】
制御ユニット１１０は、音源装置９２０0から受けた計測用音響信号の歪率の計測処理、当該歪率の計測結果に基づく音量レベル調整の支援処理、及び、音源装置９２０0，９２０1のいずれかから受けた音響信号に基づく出力音声信号ＡＯＳL，ＡＯＳRの生成処理を行う。この制御ユニット１１０については、後述する。
【００２２】
上記の表示ユニット１４０は、例えば、（ｉ）液晶パネル、有機ＥＬ（Electro Luminescence）パネル、ＰＤＰ（Plasma Display Panel）等の表示デバイスと、（ii）表示ユニット１４０全体の制御を行うグラフィックレンダラ等の表示コントローラと、（iii）表示画像データを記憶する表示画像メモリ等を備えて構成されている。この表示ユニット１４０は、制御ユニット１１０からの表示データＩＭＤに従って、音量レベル調整の支援情報、操作ガイダンス情報等を表示する。
【００２３】
上記の操作入力ユニット１５０は、音響信号処理装置１００の本体部に設けられたキー部、及び／又はキー部を備えるリモート入力装置等により構成される。ここで、本体部に設けられたキー部としては、表示ユニット１４０の表示デバイスに設けられたタッチパネルを用いることができる。なお、キー部を有する構成に代えて、又は併用して音声認識技術を利用して音声にて入力する構成を採用することもできる。
【００２４】
この操作入力ユニット１５０を利用者が操作することにより、音響信号処理装置１００の動作内容の設定が行われる。例えば、「適正音量レベル調整モード」の開始指令、音源装置９２０0，９２０1のうちのいずれの音源装置からの音響信号に基づく音声を、スピーカユニット９１０L，９１０Rから出力されるかを選択する音声選択指令等を、利用者が操作入力ユニット１５０を利用して行う。こうした入力内容は、操作入力データＩＰＤとして、操作入力ユニット１５０から制御ユニット１１０へ向けて送られる。
【００２５】
次に、上記の制御ユニット１１０について説明する。この制御ユニット１１０は、図２に示されるように、入力信号処理部１１１と、前段音響信号処理部１１２と、後段音響信号処理部１１３とを備えている。また、制御ユニット１１０は、処理制御部１１９を備えている。
【００２６】
上記の入力信号処理部１１１は、音響信号ＵＡＳL，ＵＡＳRの音量レベル調整、音源装置９２０0，９２０1から出力される音響信号の選択を行う。かかる機能を有する入力信号処理部１１１は、図３に示されるように、可変減衰手段としての可変減衰部２１１と、選択手段としての信号選択部２１２とを備えている。
【００２７】
上記の可変減衰部２１１は、個別可変減衰部２１１L，２１１Rを備えている。個別可変減衰部２１１j（ｊ＝Ｌ，Ｒ）のそれぞれは、音源装置９２０0からの音響信号ＵＡＳjを受けるとともに、処理制御部１１９からの減衰制御信号ＡＴＴにおける個別減衰制御信号ＡＴＴjを受ける。そして、個別可変減衰部２１１jは、個別減衰制御信号ＡＴＴjにより指定された係数を音響信号ＵＡＳｊに乗じる。引き続き、個別可変減衰部２１１jのそれぞれは、この減衰結果を減衰信号ＡＴＳjとして信号選択部２１２へ向けて出力する。
【００２８】
なお、以下においては、個別減衰制御信号ＡＴＴLにより指定された係数を「第１減衰率」と呼び、個別減衰制御信号ＡＴＴRにより指定された係数を「第２減衰率」と呼ぶものとする。
【００２９】
上記の信号選択部２１２は、可変減衰部２１１からの減衰信号ＡＴＳL，ＡＴＳRと、音源装置９２０1からの音響信号ＮＡＳL，ＮＡＳRとを受ける。そして、信号選択部２１２は、処理制御部１１９からの選択指令ＳＬＣに従って、減衰信号ＡＴＳL，ＡＴＳR及び音響信号ＮＡＳL，ＮＡＳRのいずれかを選択する。こうして選択された信号は、選択音響信号ＰＢＳL，ＰＢＳRとして前段音響信号処理部１１２へ向けて出力される。
【００３０】
上記の前段音響信号処理部１１２は、信号選択部２１２から受けた選択音響信号ＰＢＳL，ＰＢＳRをデジタル形式の信号に変換し、利用者からの指令に対応して選択音響信号の歪率の計測、又は、再生音声信号の生成を行う。かかる機能を有する前段音響信号処理部１１２は、図４に示されるように、ＡＤ（Analogue to Digital）変換部２２１と、計測手段としての歪率計測部２２２と、再生音声信号生成部２２３とを備えている。
【００３１】
上記のＡＤ変換部２２１は、２個のＡＤ変換器を備えて構成される。このＡＤ変換部２２１は、信号選択部２１２からの選択音響信号ＰＢＳj（ｊ＝Ｌ，Ｒ）を受ける。そして、ＡＤ変換部２２１は、選択音響信号ＰＢＳjのそれぞれをＡＤ変換して、デジタル形式の信号ＰＢＤjを生成する。こうして生成された信号ＰＢＤL，ＰＢＤRは、歪率計測部２２２及び再生音声信号生成部２２３へ向けて送られる。また、信号ＰＢＤL，ＰＢＤRは、処理制御部１１９へ向けても出力される。
【００３２】
上記の歪率計測部２２２は、個別歪率計測部２２２L，２２２Rを備えている。個別歪率計測部２２２j（ｊ＝Ｌ，Ｒ）のそれぞれは、ＡＤ変換部２２１からの信号ＰＢＤjを受ける。そして、個別歪率計測部２２２jは、「適正音量レベル調整モード」時において処理制御部１１９が発行する計測指令ＩＳＣを受けると、信号ＰＢＤjの歪率を計測する。なお、この信号ＰＢＤjは、単一所定周波数ＦＲのサイン波信号を個別可変減衰部２１１jで減衰させ、減衰結果である減衰信号ＡＴＳj（図３参照）をデジタル形式に変換したものである。
【００３３】
かかる歪率の計測に際して、個別歪率計測部２２２j（ｊ＝Ｌ，Ｒ）のそれぞれは、まず、信号ＰＢＤjに対して高速フーリエ変換演算を行い、信号ＰＢＤjの周波数特性を解析する。例えば、図５（Ａ）に示されるように、音響信号ＵＡＳjの信号レベルが音源装置９２０0におけるクリップレベルＣＬＥに達することなく、かつ、図５（Ｂ）に示されるように、信号ＰＢＤjで表わされる音響信号（以下、単に「信号ＰＢＤj」とも記す）の信号レベルが音響信号処理装置１００におけるクリップレベルＣＬＩに達しない場合には、信号ＰＢＤjの周波数特性は、図５（Ｃ）に示されるように単一所定周波数ＦＲだけでピークをもつものとなる。また、例えば、図６（Ａ）に示されように、音響信号ＵＡＳjの信号レベルが音源装置９２０0におけるクリップレベルＣＬＥに達してしまう場合、もしくは、図６（Ｂ）に示されるように、信号ＰＢＤjの信号レベルが音響信号処理装置１００におけるクリップレベルＣＬＩに達してしまう場合には、信号ＰＢＤjの周波数特性には、図６（Ｃ）に示されるように、単一所定周波数ＦＲの他に、周波数ＦＲの整数倍の周波数にピークが出現する。これらの周波数ＦＲの整数倍の周波数に出現するピークは、クリップが原因で発生した高調波である。
【００３４】
引き続き、個別歪率計測部２２２jは、この周波数解析結果に基づいて、単一所定周波数ＦＲの音圧レベルと、発生した高調波の音圧レベルとに基づいて、個別歪率ＤＳＴjを算出する。こうして算出された個別歪率ＤＳＴjは、処理制御部１１９へ送られる。
【００３５】
図４に戻り、上記の再生音声信号生成部２２３は、ＡＤ変換部２２１からの信号ＰＢＤL，ＰＢＤRを受ける。そして、再生音声信号生成部２２３は、後述する「再生モード」時において処理制御部１１９が発行する再生音声生成指令ＣＰＣを受けると、当該指令に含まれる周波数特性補正指定等に従って、信号ＰＢＤj（ｊ＝Ｌ，Ｒ）のそれぞれに対して、周波数特性補正等を行う。かかる補正結果は、再生音声信号ＡＰＤjとして後段音響信号処理部１１３へ向けて出力される。
【００３６】
図２に戻り、上記の後段音響信号処理部１１３は、前段音響信号処理部１１２から受けた再生音声信号ＡＰＤL，ＡＰＤRをアナログ形式の信号に変換し、利用者からの指令に対応した音量調整処理等を行う。かかる機能を有する後段音響信号処理部１１３は、図７に示されるように、ＤＡ（Digital to Analogue）変換部２３１と、音量調整部２３２と、増幅部２３３とを備えている。
【００３７】
上記のＤＡ変換部２３１は、２個のＤＡ変換器を備えて構成される。このＤＡ変換部２３１は、再生音声信号生成部２２３からの再生音声信号ＡＰＤj（ｊ＝Ｌ，Ｒ）を受ける。そして、ＤＡ変換部２３１は、再生音声信号ＡＰＤjのそれぞれをＤＡ変換して、アナログ形式の信号ＡＰＳjを生成する。こうして生成された信号ＡＰＳL，ＡＰＳRは、音量調整部２３２へ向けて送られる。
【００３８】
上記の音量調整部２３２は、ＤＡ変換部２３１からの信号ＡＰＳj（ｊ＝Ｌ，Ｒ）を受ける。そして、音量調整部２３２は、信号ＡＰＳjのそれぞれに対して、処理制御部１１９からの音量調整指令ＶＬＣに従って、音量を調整する。かかる調整結果は、信号ＣＶＳj（ｊ＝Ｌ，Ｒ）として、増幅部２３３へ向けて出力される。
【００３９】
上記の増幅部２３３は、２個のパワー増幅手段を備えて構成される。この増幅部２３３は、音量調整部２３２からの信号ＣＶＳj（ｊ＝Ｌ，Ｒ）を受ける。そして、増幅部２３３は、信号ＣＶＳjをパワー増幅して、出力音声信号ＡＯＳjを生成する。こうして生成された出力音声信号ＡＯＳj（ｊ＝Ｌ，Ｒ）が、スピーカユニット９１０jへ向けて送られる。
【００４０】
図２に戻り、上記の処理制御部１１９は、様々な処理を行って、音響信号処理装置１００の動作を制御する。この処理制御部１１９は、図８に示されるように、支援手段、第１誘導手段、第２誘導手段及び誘導切替手段としての誘導支援部２９１と、設定手段としての制御部２９５とを備えている。
【００４１】
上記の誘導支援部２９１は、「適正音量レベル調整モード」時において、歪率計測部２２２から個別歪率ＤＳＴL，ＤＳＴRを含む歪率ＤＳＴを受ける。この誘導支援部２９１は、当該個別歪率ＤＳＴL，ＤＳＴRの値等に応じて「第１誘導支援」、「第２誘導支援」を行う。
【００４２】
誘導支援部２９１は、まず、「第１誘導支援」を行う。この「第１誘導支援」では、誘導支援部２９１は、個別歪率ＤＳＴLが所定の閾値以上である場合には、第１減衰率と第２減衰率との差を維持しながら、個別歪率ＤＳＴL，ＤＳＴRの双方が所定の閾値未満となるまで、第１減衰率及び第２減衰率を増加させる設定を可変減衰部２１１に対して行いつつ、個別歪率ＤＳＴL，ＤＳＴRの双方が所定の閾値以上となるまで、表示ユニット１４０を利用して利用者に対して音源装置９２０0の音量レベル調整手段９２１で計測音響信号の音量レベルを大きくするように促す。
【００４３】
なお、この所定の閾値は、利用者に楽曲等を聴取する際に、歪みによる違和感を与えないという観点から、実験、シミュレーション、経験等に基づいて、予め定められる。また、「適正音量レベル調整モード」における音量レベルの調整時においては、第１減衰率は第２減衰率よりも小さく設定されている。
【００４４】
誘導支援部２９１は、「第１誘導支援」を用いた誘導により、個別歪率ＤＳＴL，ＤＳＴRの双方が所定の閾値以上となった後に、「第２誘導支援」を行う。この「第２誘導支援」では、誘導支援部２９１は、個別歪率ＤＳＴL，ＤＳＴRの双方が所定の閾値未満となるまで、表示ユニット１４０を利用して利用者に対して音源装置９２０0の音量レベル調整手段９２１で計測音響信号の音量レベルを小さくするように促す。
【００４５】
誘導支援部２９１は、この「第２誘導支援」による誘導中に、個別歪率ＤＳＴRが所定の閾値未満となった時点で、個別歪率ＤＳＴLが所定の閾値未満であるか否かを判定する。そして、個別歪率ＤＳＴLが所定の閾値以上であった場合には、誘導支援部２９１は、上述した「第１誘導支援」に切り替える。一方、個別歪率ＤＳＴLが所定の閾値未満であった場合には、誘導支援部２９１は、その時点における第１減衰率を適正な減衰率であると判断し、当該第１減衰率を報告ＡＭＲとして制御部２９５へ向けて送る。
【００４６】
上記の制御部２９５は、音響信号処理装置１００における「再生モード」と「適正音量レベル調整モード」との２つのモードの動作を制御する。ここで、「再生モード」とは、音源装置９２０0，９２０1のいずれかから送られてくる楽曲等の音響信号を再生するモードである。また、「適正音量レベル調整モード」とは、ラインノイズの影響及び再生音声における歪みの発生を極力抑止するという観点から、音響信号ＵＡＳL，ＵＡＳRに歪みが発生しない音源装置９２０0からの出力音量範囲のほぼ最大音量を実現する音源装置９２０0に対する音量調整と、当該音量調整に対応する適正な減衰率の調整とを行うモードである。
【００４７】
制御部２９５は、操作入力ユニット１５０から受けた操作入力データＩＰＤを解析し、「再生モード」と「適正音量レベル調整モード」のいずれかの動作制御を行う。より具体的には、制御部２９５は、通常は、「再生モード」の動作の制御を行う。一方、操作入力ユニット１５０から音量レベル調整指令を受けると、制御部２９５は、「適正音量レベル調整モード」の動作の制御を行う。
【００４８】
「適正音量レベル調整モード」の動作制御に際し、制御部２９５は、信号選択部２１２へ向けて可変減衰部２１１から送られてくる減衰信号ＡＴＳL，ＡＴＳRを選択すべき旨の選択指令ＳＬＣを発行する。
【００４９】
そして、制御部２９５は、可変減衰部２１１へ、初期第１減衰率及び初期第２減衰率を指定した個別減衰制御信号ＡＴＴL，ＡＴＴRを送る。なお、初期第１減衰率は、初期第２減衰率よりも小さく設定されている。
【００５０】
また、制御部２９５は、「適正音量レベル調整モード」の動作制御に際し、計測指令ＩＳＣを歪率計測部２２２へ向けて発行する。
【００５１】
また、制御部２９５は、「適正音量レベル調整モード」時においては、ＡＤ変換部２２１から受ける信号ＰＢＤL，ＰＢＤRの音量レベルを監視する。そして、制御部２９５は、当該音量レベルを表示ユニット１４０に表示させる。
【００５２】
また、制御部２９５は、誘導支援部２９１からの報告ＡＭＲを受けると、当該報告に含まれている第１減衰率を、個別可変減衰部２１１L，２１１Rの双方に設定する減衰率として決定する。そして、制御部２９５は、決定された減衰率を指定した個別減衰制御信号ＡＴＴL，ＡＴＴRを生成し、可変減衰部２１１へ送る。
【００５３】
こうして可変減衰部２１１に対する第１減衰率及び第２減衰率の設定が完了すると、制御部２９５は、「適正音量レベル調整モード」の動作制御を終了する。
【００５４】
制御部２９５は、「再生モード」の動作制御に際し、操作入力ユニット１５０を利用した利用者からの選択指令に従って、可変減衰部２１１から送られてくる減衰信号ＡＴＳL，ＡＴＳR及び音源装置９２０1から送られてくる音響信号ＮＡＳL，ＮＡＳRのいずれかを選択する選択指令ＳＬＣを生成する。そして、制御部２９５は、当該指令を信号選択部２１２へ向けて発行する。
【００５５】
また、制御部２９５は、「再生モード」の動作制御に際し、周波数特性補正指定等を含んだ再生音声生成指令ＣＰＣを生成し、当該指令を再生音声信号生成部２２３へ向けて発行する。
【００５６】
また、制御部２９５は、音量調整部２３２を制御して、スピーカユニット９１０L，９１０Rからの出力音量を調整する。この出力音量の制御に際して、制御部２９５は、操作入力ユニット１５０に入力された音量指定に従って音量調整指令ＶＬＣを生成し、音量調整部２３２へ向けて発行する。
【００５７】
［動作］
次に、上記のように構成された音響信号処理装置１００の動作について、主に「適正音量レベル調整モード」における処理に着目して説明する。
【００５８】
利用者が、音響信号処理装置１００の操作入力ユニット１５０に適正音量レベル調整指令を入力することにより、音響信号処理装置１００の「適正音量レベル調整モード」の動作が開始する。こうして、「適正音量レベル調整モード」の動作が開始すると、図９のステップＳ１１において、初期設定が行われる。
【００５９】
かかる初期設定においては、制御部２９５は、信号選択部２１２へ向けて可変減衰部２１１から送られてくる減衰信号ＡＴＳL，ＡＴＳRを選択すべき旨の選択指令ＳＬＣを発行する（図８参照）。引き続き、制御部２９５は、可変減衰部２１１に対して、初期第１減衰率及び初期第２減衰率を指定した個別減衰制御信号ＡＴＴL，ＡＴＴRを送る。この結果、可変減衰部２１１における個別可変減衰部２１１L，２１１Rのそれぞれにおいて、初期第１減衰率及び初期第２減衰率が設定される。なお、上述したように、初期第１減衰率は、初期第２減衰率よりも小さく設定されている。
【００６０】
こうして制御部２９５による初期設定が行われると、処理はステップＳ１２へ進む。ステップＳ１２では、誘導支援部２９１が、第１誘導表示として、例えば、「音源装置９２０0で計測用音響信号を再生し、音源装置９２０0のボリュームを徐々に上げてください。」を表示ユニット１４０に表示させ、利用者に対して音源装置９２０0において計測用コンテンツを再生させ、音源装置９２０0の音量レベル調整手段９２１で計測音響信号の音量レベルを大きくするように促す。
【００６１】
この後、利用者が、音源装置９２０0において計測用記録媒体に記録された計測用コンテンツを再生させると、音源装置９２０0から出力された計測用音量信号である音響信号ＵＡＳL，ＵＡＳRのそれぞれが、個別可変減衰部２１１j（ｊ＝Ｌ，Ｒ）において減衰され、減衰信号ＡＴＳjが信号選択部２１２へ向けて送られる。そして、減衰信号ＡＴＳjが信号選択部２１２で選択され、選択音響信号ＰＢＳjとして前段音響信号処理部１１２へ向けて出力される（図３参照）。
【００６２】
前段音響信号処理部１１２に入力された選択音響信号ＰＢＳL，ＰＢＳRのそれぞれは、ＡＤ変換部２２１においてデジタル形式の信号ＰＢＤj（ｊ＝Ｌ，Ｒ）に変換され、歪率計測部２２２及び再生音声信号生成部２２３へ向けて送られる。なお、「適正音量レベル調整モード」時においては、再生音声信号生成部２２３での処理は行われない。
【００６３】
信号ＰＢＤL，ＰＢＤRのそれぞれが、歪率計測部２２２における個別歪率計測部２２２j（ｊ＝Ｌ，Ｒ）に入力されると、ステップＳ１３の処理が行われる。ステップＳ１３では、個別歪率計測部２２２jが信号ＰＢＤjの個別歪率ＤＳＴjを計測する（図４参照）。こうして計測された個別歪率ＤＳＴjは、処理制御部１１９の誘導支援部２９１へ向けて送られる。この後、処理はステップＳ１４へ進む。
【００６４】
ステップＳ１４では、誘導支援部２９１が、個別歪率ＤＳＴLが所定の閾値以上か否かを判定する。この判定の結果が否定的であった場合（ステップＳ１４：Ｎ）、すなわち、信号ＰＢＤL，ＰＢＤRの双方が歪んでいない場合には、処理はステップＳ１２へ戻る。ステップＳ１２では、誘導支援部２９１が、再度、上記の表示内容を表示ユニット１４０に表示させることで、利用者に対して音源装置９２０0の音量レベル調整手段９２１で計測音響信号の音量レベルを大きくするように促す。この後、制御部２９５が、ＡＤ変換部２２１から送られてくる信号ＰＢＤjのレベル変化を検知すると、処理はステップＳ１３へ進む。
【００６５】
一方、ステップＳ１４における判定の結果が肯定的であった場合（ステップＳ１４：Ｙ）には、処理はステップＳ１５へ進む。
【００６６】
ステップＳ１５では、誘導支援部２９１が、個別歪率ＤＳＴRが所定の閾値以上か否かを判定する。この判定の結果が否定的となるのは、信号ＰＢＤLのみに歪みが発生している場合、すなわち、図１０に示される信号波形例のように、音源装置９２０0からの出力である音響信号ＵＡＳL，ＵＡＳRには歪みが発生しておらず、音響信号処理装置１００内で歪みが発生している場合である。ステップＳ１５における判定の結果が否定的であった場合（ステップＳ１５：Ｎ）には、処理はステップＳ１６へ進む。
【００６７】
ステップＳ１６では、誘導支援部２９１が、第１減衰率と第２減衰率との差を維持しながら、第１減衰率及び第２減衰率を増加させる設定を可変減衰部２１１に対して行う。この結果、個別可変減衰部２１１L，２１１Rのそれぞれにおいて、第１減衰率及び第２減衰率が更新される。この後、処理はステップＳ１３へ戻る。
【００６８】
一方、ステップＳ１５における判定の結果が肯定的となるのは、信号ＰＢＤL，ＰＢＤRの双方に歪みが発生している場合である。このように信号ＰＢＤL，ＰＢＤRの双方に歪みが発生している場合は、図１１に示される信号波形例のように、音源装置９２０0からの出力である音響信号ＵＡＳL，ＵＡＳRに歪みが発生し、音響信号処理装置１００内では歪みは発生していない蓋然性が高い。このため、ステップＳ１５における判定の結果が肯定的であった場合（ステップＳ１５：Ｙ）には、音源装置９２０0のからの出力である音響信号ＵＡＳL，ＵＡＳRに歪みが発生している状態となったと推定され、処理がステップＳ１７へ進む。
【００６９】
ステップＳ１７では、誘導支援部２９１が、第２誘導表示として、例えば、「外部機器のボリュームを少し下げてください。」を表示ユニット１４０に表示させ、利用者に対して音源装置９２０0の音量レベル調整手段９２１で計測音響信号の音量レベルを小さくするように促す。この後、制御部２９５が、ＡＤ変換部２２１から送られてくる信号ＰＢＤjのレベル変化を検知すると、処理はステップＳ１８へ進む。
【００７０】
ステップＳ１８では、上述したステップＳ１３と同様に、個別歪率計測部２２２j（ｊ＝Ｌ，Ｒ）のそれぞれが、ＡＤ変換部２２１から受けた信号ＰＢＤjの個別歪率ＤＳＴjを計測する。こうして計測された個別歪率ＤＳＴjは、処理制御部１１９の誘導支援部２９１へ向けて送られる。この後、処理はステップＳ１９へ進む。
【００７１】
ステップＳ１９では、誘導支援部２９１が、個別歪率ＤＳＴRが所定の閾値未満か否かを判定する。この判定の結果が否定的であった場合（ステップＳ１９：Ｎ）、すなわち、信号ＰＢＤL，ＰＢＤRの双方が歪んでおり、音響信号ＵＡＳL，ＵＡＳRに歪みが発生している状態が継続していると推定される場合には、処理はステップＳ１７へ戻る。ステップＳ１７では、誘導支援部２９１が、再度、上記の表示内容を表示ユニット１４０に表示させることで、利用者に対して音源装置９２０0の音量レベル調整手段９２１で計測音響信号の音量レベルを小さくするように促す。この後、制御部２９５が、ＡＤ変換部２２１から送られてくる信号ＰＢＤLのレベル変化を検知すると、処理はステップＳ１８へ進む。
【００７２】
一方、ステップＳ１９における判定の結果が肯定的であった場合（ステップＳ１９：Ｙ）には、処理はステップＳ２０へ進む。
【００７３】
このステップＳ２０では、誘導支援部２９１が、個別歪率ＤＳＴLが所定の閾値未満か否かを判定する。この判定の結果が否定的となるのは、信号ＰＢＤLのみが歪んでいる場合すなわち、上述したステップＳ１５において行われた「音源装置９２０0のからの出力である音響信号ＵＡＳL，ＵＡＳRに歪みが発生し、音響信号処理装置１００内では歪みは発生していない」との推定が崩れた場合である。こうした事態は、ステップＳ１２における誘導表示に沿って利用者により行われた音源装置９２０0に対する音量調整操作により、計測音響信号の音量レベルが急激に上がりすぎた場合である。ステップＳ２０における判定の結果が否定的であった場合（ステップＳ２０：Ｎ）には、処理は上述したステップＳ１６へ戻る。
【００７４】
一方、ステップＳ２０における判定の結果が肯定的となるのは、「ステップＳ１７における誘導表示に沿って利用者により行われた音源装置９２０0に対する音量調整操作により、音響信号ＵＡＳL，ＵＡＳRに歪みが発生しない音源装置９２０0からの出力音量範囲のほぼ最大音量となり」、かつ、音響信号処理装置１００内でも歪みは発生していない状態となった場合である。ステップＳ２０における判定の結果が肯定的であった場合（ステップＳ２０：Ｙ）には、処理はステップＳ２１へ進む。
【００７５】
ステップＳ２１では、誘導支援部２９１が、その時点における第１減衰率を、報告ＡＭＲとして制御部２９５へ向けて送る。そして、報告ＡＭＲを受けた制御部２９５が、当該報告ＡＭＲに含まれている第１減衰率を、個別可変減衰部２１１L，２１１Rの双方に設定する減衰率として決定する。そして、制御部２９５は、当該減衰率を指定した個別減衰制御信号ＡＴＴL，ＡＴＴRを生成し、可変減衰部２１１へ向けて送る。この結果、可変減衰部２１１における個別可変減衰部２１１L，２１１Rのそれぞれにおいて、適正な減衰率が設定される。
【００７６】
こうして、音響信号ＵＡＳL，ＵＡＳRに歪みが発生しない音源装置９２０0からの出力音量範囲のほぼ最大音量を実現する音源装置９２０0に対する音量調整と、当該音量調整に対応する適正な減衰率の設定が、可変減衰部２１１L，２１１Rの双方に対して行われると、制御部２９５による「適正音量レベル調整モード」の制御処理が終了する。
【００７７】
「再生モード」は、利用者が、音源装置９２０0，９２０1のいずれか（又は双方）において楽曲等が記録された音声コンテンツを再生させ、操作入力ユニット１５０に音源装置を指定した指定指令を入力することで開始する。
【００７８】
ここで、利用者により、再生すべき音響信号として音源装置９２０0から出力される音響信号ＵＡＳL，ＵＡＳRが指定された場合には、音響信号ＵＡＳj（ｊ＝Ｌ，Ｒ）は上述した「適正音量レベル調整モード」において決定した減衰量で可変減衰部２１１において減衰される。こうして減衰された音響信号ＵＡＳjは、信号選択部２１２へ向けて送られ、選択音響信号ＰＢＳとして前段音響信号処理部１１２へ向けて出力される。
【００７９】
一方、利用者により、再生すべき音響信号として音源装置９２０1から出力される音響信号ＮＡＳL，ＮＡＳRが指定された場合には、音響信号ＮＡＳjは、信号選択部２１２へ向けて送られ、選択音響信号ＰＢＳとして前段音響信号処理部１１２へ向けて出力される。
【００８０】
こうして信号選択部２１２から出力された選択音響信号ＰＢＳj（ｊ＝Ｌ，Ｒ）は、ＡＤ変換部２２１においてデジタル形式の信号ＰＢＤjに変換された後、再生音声信号生成部２２３及び歪率計測部２２２へ向けて送られる。なお、「再生モード」時においては、歪率計測部２２２での処理は行われない。
【００８１】
再生音声信号生成部２２３では、制御部２９５からの再生音声生成指令ＣＰＣに従い、信号ＰＢＤj（ｊ＝Ｌ，Ｒ）に対して、周波数特性補正等が行われる。かかる補正結果は、再生音声信号ＡＰＤjとして後段音響信号処理部１１３へ向けて出力される。
【００８２】
再生音声信号ＡＰＤj（ｊ＝Ｌ，Ｒ）を受けた後段音響信号処理部１１３では、まず、ＤＡ変換部２３１において再生音声信号ＡＰＤj（ｊ＝Ｌ，Ｒ）がアナログ形式の信号ＡＰＳjに変換される。次いで、音量調整部２３２において制御部２９５からの音量調整指令ＶＬＣに従い、信号ＡＰＳjの音量調整が施される。かかる調整結果は、信号ＣＶＳjとして増幅部２３３へ向けて送られる。増幅部２３３では、信号ＣＶＳjをパワー増幅して、出力音声信号ＡＯＳjを生成する。そして、出力音声信号ＡＯＳjがスピーカユニット９１０jに供給される。
【００８３】
この結果、利用者により、音響信号として音源装置９２０0から出力された音響信号ＵＡＳL，ＵＡＳRが選択された場合には、ラインノイズの影響及び再生音声における歪みの発生を極力抑止した音声が、スピーカユニット９１０jから出力される。
【００８４】
以上説明したように、本実施形態では、音源装置９２０0が、利用者からの指令に対応して、信号レベルが同一である単一所定周波数ＦＲのサイン波信号を、音響信号ＵＡＳL，ＵＡＳRとして音響信号処理装置１００へ向けて出力する。音響信号ＵＡＳj（ｊ＝Ｌ，Ｒ）を受けた音響信号処理装置１００では、個別可変減衰部２１１jにおいて、第１減衰率が第２減衰率よりも小さく設定された状態で、音響信号ＵＡＳjを減衰させる。そして、個別歪率計測部２２２jのそれぞれにおいて、減衰信号をデジタル形式に変換した信号ＰＢＤjの個別歪率ＤＳＴjを計測する。
【００８５】
個別歪率ＤＳＴj（ｊ＝Ｌ，Ｒ）のそれぞれは、歪率計測部２２２から誘導支援部２９１へ向けて出力される。誘導支援部２９１は、「第１誘導支援」として、個別歪率ＤＳＴLが所定の閾値以上である場合には、第１減衰率と第２減衰率との差を維持しながら、個別歪率ＤＳＴL，ＤＳＴRの双方が所定の閾値未満となるまで、第１減衰率及び第２減衰率を増加させる設定を可変減衰部２１１に対して行いつつ、個別歪率ＤＳＴL，ＤＳＴRの双方が所定の閾値以上となるまで、表示ユニット１４０を利用して利用者に対して音源装置９２０0の音量レベル調整手段９２１で計測音響信号の音量レベルを大きくするように促す。また、誘導支援部２９１は、「第２誘導支援」として、「第１誘導支援」を用いた誘導により、個別歪率ＤＳＴL，ＤＳＴRの双方が所定の閾値以上となった後に、個別歪率ＤＳＴL，ＤＳＴRの双方が所定の閾値未満となるまで、表示ユニット１４０を利用して利用者に対して音源装置９２０0の音量レベル調整手段９２１で計測音響信号の音量レベルを小さくするように促す。誘導支援部２９１は、「第２誘導支援」による誘導中に、個別歪率ＤＳＴLが所定の閾値未満になった場合には、その時点における第１減衰率を、報告ＡＭＲとして制御部２９５へ向けて送る。
【００８６】
制御部２９５は、誘導支援部２９１からの報告ＡＭＲを受けると、当該報告に含まれている第１減衰率を、個別可変減衰部２１１L，２１１Rの双方に設定する減衰率として決定する。そして、制御部２９５は、当該減衰率を指定した個別減衰制御信号ＡＴＴL，ＡＴＴRを生成し、可変減衰部２１１に対して設定する。このため、音響装置と外部装置のいずれで歪みが発生したかを判断することができ、利用者に対して適切な誘導支援を行うことができる。
【００８７】
したがって、本実施形態によれば、出力音量の調整機能を有する外部機器が接続された場合に、利用者にとって簡単な外部機器の操作で、外部機器からの出力音量レベルを適正な音量レベルに調整することができる。
【００８８】
［実施形態の変形］
本発明は、上記の実施形態に限定されるものではなく、様々な変形が可能である。
【００８９】
例えば、上記の実施形態では、外部装置として２個の音源装置が接続されることとしたが、音響信号処理装置に接続する外部装置の数は、いくつであってもよい。
【００９０】
また、上記の実施形態では、２チャンネルステレオ方式を採用したが、３チャンネル以上のマルチチャンネルサラウンド方式を採用する音響信号処理装置に本発明を適用することができる。
【００９１】
また、上記の実施形態では、利用者に対する誘導支援は表示ユニットを利用して行ったが、音声にて行うようにしてもよい。
【００９２】
なお、上記の実施形態における制御ユニットを中央処理装置（ＣＰＵ：Central Processor Unit）やＤＳＰ（Digital Signal Processor）を備えるコンピュータシステムとして構成し、制御ユニットの機能を、プログラムの実行によって実現するようにすることもできる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００９３】
【図１】本発明の一実施形態に係る音響信号処理装置の構成を概略的に示すブロック図である。
【図２】図１の制御ユニットの構成を示すブロック図である。
【図３】図２の入力信号処理部の構成を示すブロック図である。
【図４】図２の前段音響信号処理部の構成を示すブロック図である。
【図５】歪率計測部が解析した周波数特性の例（その１）である。
【図６】歪率計測部が解析した周波数特性の例（その２）である。
【図７】図２の後段音響信号処理部の構成を示すブロック図である。
【図８】図２の処理制御部の構成を示すブロック図である。
【図９】図１の装置による適正音量レベル調整設定処理を説明するためのフローチャートである。
【図１０】音響信号処理装置内で音響信号が歪んでいる場合を判断する方法を説明するための図である。
【図１１】音源装置から出力される音響信号が歪んでいる場合を判断する方法を説明するための図である。
【符号の説明】
【００９４】
１００            …  音響信号処理装置
２１１            …  可変減衰部（可変減衰手段）
２１２            …  信号選択部（選択手段）
２２２            …  歪率計測部（計測手段）
２９１            …  誘導支援部（支援手段、第１誘導手段、第２誘導手段及び誘
導切替手段）
２９５            …  制御部（設定手段）
９１０L，９１０R  …  スピーカユニット（スピーカ）
９２０0，９２０1  …  音源装置（外部機器）
【図１】
2009213016.tif 000003
【図２】
2009213016.tif 000004
【図３】
2009213016.tif 000005
【図４】
2009213016.tif 000006
【図５】
2009213016.tif 000007
【図６】
2009213016.tif 000008
【図７】
2009213016.tif 000009
【図８】
2009213016.tif 000010
【図９】
2009213016.tif 000011
【図１０】
2009213016.tif 000012
【図１１】
2009213016.tif 000013